(57)【要約】【課題】  大容量の二酸化炭素を効率良く短時間に炭素と酸素とに分離して炭素だけをリサイクル可能にし、処理に要する時間やコストも大幅に低減できるようにする。【解決手段】  処理すべき二酸化炭素を水に溶解する溶解工程Ａと、この二酸化炭素溶解水に強磁性シーデイング剤を添加するシーデイング剤添加工程Ｂと、シーデイング剤添加工程Ｂ後の二酸化炭素溶解水を高温超伝導等による電磁石４の高勾配磁界内に導入して炭素イオンと酸素イオンとに磁気分離する磁気分離工程Ｃと、磁気分離した炭素イオンを、電磁石４の磁界周囲に配したメッシュ状，スパイラル状，筒状等に形成した吸着フィルタ６によって捕獲する炭素捕獲工程Ｄとから構成する。【選択図】      図２
2005126259.tif 000002
【特許請求の範囲】
【請求項１】
処理すべき二酸化炭素を水に溶解させる溶解工程と、この二酸化炭素溶解水に強磁性シーデイング剤を添加するシーデイング剤添加工程と、シーデイング剤添加工程後の二酸化炭素溶解水を高磁力発生可能な電磁石または高温超伝導による電磁石の高勾配磁界内に導入して炭素イオンと酸素イオンとに磁気分離させる磁気分離工程と、磁気分離した炭素イオンを、電磁石の磁界周囲に配したメッシュ状，スパイラル状，筒状等に形成された吸着フィルタによって捕獲する炭素捕獲工程とから成ることを特徴とする二酸化炭素の分離無害化処理方法。
【請求項２】
電磁石は、炭素イオンの弱磁性磁化率の値に対応して発生磁場の大きさを５テスラから１０テスラ範囲の間で可変すべく成した請求項１記載の二酸化炭素の分離無害化処理方法。
【請求項３】
前記強磁性シーデイング剤として、弱磁性磁化率を有する炭素イオンを磁気分離力を介して効率良く捕獲可能にすべく二酸化炭素溶解水中に水酸化鉄，フェライト，マンガン，αヘマタイト，ドラバイト，トルマリン等の強磁性シーデイング剤を添加した請求項１または２記載の二酸化炭素の分離無害化処理方法。
【請求項４】
２５〜５０ｋＨｚ帯域の高周波電源を使った高周波電流を印加させることによって二酸化炭素水溶液中の炭素と酸素の結合をイオン解離して捕獲させる工程を含む請求項１乃至３のいずれか記載の二酸化炭素の分離無害化処理方法。
【請求項５】
処理すべき二酸化炭素を水に溶解させる溶解タンクと、この二酸化炭素溶解水に強磁性シーデイング剤を添加するシーデイング剤添加タンクと、シーデイング剤添加工程後の二酸化炭素溶解水を高勾配磁界内に導入して炭素イオンと酸素イオンとに磁気分離させ、磁界周囲に配したメッシュ状，スパイラル状，筒状等に形成された吸着フィルタによって、磁気分離した炭素イオンを捕獲可能にした電磁石とを循環流路に沿って配設して成ることを特徴とする二酸化炭素の分離無害化処理装置。
【請求項６】
二酸化炭素水溶液中の炭素と酸素の結合をイオン解離して捕獲させるよう２５〜５０ｋＨｚ帯域の高周波電源を使った高周波電流を印加可能にした金属製のスパイラルフィルタが、このスパイラル回転軸と循環管路とが略同軸となるように当該循環管路内側に張設配置されている請求項５記載の二酸化炭素の分離無害化処理装置。
【発明の詳細な説明】
【技術分野】
【０００１】
本発明は、地球汚染物質である二酸化炭素を炭素と酸素とに分離して当該炭素をリサイクル可能にするための二酸化炭素の分離無害化処理方法とその装置に関する。
【背景技術】
【０００２】
従来、二酸化炭素を無害化して処理する方法は皆無に等しく、敢えて二酸化炭素を廃棄処理する場合には、これを容器に収容させてから地下深部に埋設する方法が採られているのが現状である。
【特許文献１】特に無し
【発明の開示】
【発明が解決しようとする課題】
【０００３】
しかしながら上記従来例においては、地球全体を汚染するトン単位程度の大量の二酸化炭素を一度に埋設処理するには、作業効率が悪いものであって、しかも処理に要する時間もかなり掛かり過ぎてしまい、コストも大幅に高くなってしまう等の問題点を有している。
【０００４】
そこで本発明は叙上のような従来存した諸事情に鑑み創出されたもので、大容量の二酸化炭素を効率良く短時間に炭素と酸素とに分離可能とし、当該炭素だけをリサイクル可能にすることができ、しかも処理に要する時間やコストも大幅に低減できるものとした二酸化炭素の分離無害化処理方法とその装置を提供することを目的とする。
【課題を解決するための手段】
【０００５】
上記課題を解決するため本発明にあっては、
処理すべき二酸化炭素を水に溶解させる溶解工程Ａと、この二酸化炭素溶解水に強磁性シーデイング剤を添加するシーデイング剤添加工程Ｂと、シーデイング剤添加工程後の二酸化炭素溶解水を高磁力発生可能な電磁石４または高温超伝導による電磁石４の高勾配磁界内に導入して炭素イオンと酸素イオンとに磁気分離させる磁気分離工程Ｃと、磁気分離した炭素イオンを、電磁石４の磁界周囲に配したメッシュ状，スパイラル状，筒状等に形成された吸着フィルタ６によって捕獲する炭素捕獲工程Ｄとから成ることを特徴とする。  電磁石４は、炭素イオンの弱磁性磁化率の値に対応して発生磁場の大きさを５テスラから１０テスラ範囲の間で可変すべく成したものとすることができる。
前記強磁性シーデイング剤として、弱磁性磁化率を有する炭素イオンを磁気分離力を介して効率良く捕獲可能にすべく二酸化炭素溶解水中に水酸化鉄，フェライト，マンガン，αヘマタイト，ドラバイト，トルマリン等の強磁性シーデイング剤を添加したものとすることができる。
２５〜５０ｋＨｚ帯域の高周波電源を使った高周波電流を印加させることによって二酸化炭素水溶液中の炭素と酸素の結合をイオン解離して捕獲させる工程を含むものとできる。
処理すべき二酸化炭素を水に溶解させる溶解タンク２と、この二酸化炭素溶解水に強磁性シーデイング剤を添加するシーデイング剤添加タンク５と、シーデイング剤添加工程Ｂ後の二酸化炭素溶解水を高勾配磁界内に導入して炭素イオンと酸素イオンとに磁気分離させ、磁界周囲に配したメッシュ状，スパイラル状，筒状等に形成された吸着フィルタ６によって、磁気分離した炭素イオンを捕獲可能にした電磁石４とを循環流路３に沿って配設して成るものとすることができる。
二酸化炭素水溶液中の炭素と酸素の結合をイオン解離して捕獲させるよう２５〜５０ｋＨｚ帯域の高周波電源を使った高周波電流を印加可能にした金属製のスパイラルフィルタが、このスパイラル回転軸と循環管路３とが略同軸となるように当該循環管路３内側に張設配置されているものとできる。
【０００６】
以上のように構成された本発明に係る二酸化炭素の分離無害化処理方法とその装置にあって、溶解工程Ａは、二酸化炭素の有するオストワルトの溶解度係数β＝０．８２８（水２５℃）に基づいて、短時間に二酸化炭素を水に溶解させ、弱酸性の二酸化炭素水溶液を得る。また、シーデイング剤添加工程Ｂは、二酸化炭素溶解水中に水酸化鉄，フェライト，マンガン，αヘマタイト，ドラバイト，トルマリン等の強磁性シーデイング剤を添加し、後段の磁気分離工程Ｃにおいて、弱磁性磁化率を有する炭素イオンと結合して強磁性粒子と同様に磁気分離させる。また、磁気分離工程Ｃは、シーデイング剤添加工程Ｂ後の二酸化炭素溶解水を高磁力発生可能な電磁石４または高温超伝導による電磁石４等の５テスラから１０テスラ範囲の高勾配磁界内に導入して炭素と酸素とに磁気分離させる。炭素捕獲工程Ｄは、前記磁気分離した炭素を、電磁石４の磁界周囲に配したメッシュ状，スパイラル状、筒状等に形成された吸着フィルタ６によってリサイクル可能な状態で完全捕獲させる。
【発明の効果】
【０００７】
本発明は以上のように構成されているために、大容量の二酸化炭素を効率良く短時間に炭素と酸素とに分離可能とし、当該炭素だけをリサイクル可能にすることができ、しかも処理に要する時間やコストも大幅に低減することができる。
【０００８】
尚、上記の課題を解決するための手段および発明の効果の項において付記した符号は、図面中に記載した構成各部を示す部分との参照を容易にするために付したもので、図面中の符号によって示された構造・形状に本発明が限定されるものではない。
【発明を実施するための最良の形態】
【０００９】
以下、本発明を実施する最良の形態を図面を参照して説明すると、図に示される符号１は、液体ヘリウムや液体窒素を用いずに冷凍機で直接冷却可能な例えばソレノイド型・スプリット型の高温超伝導による電磁石４を用いた永久電流運転が可能な所謂超伝導ドライマグネット方式によって二酸化炭素を磁気分離して無害化するための装置本体である。尚、この二酸化炭素を構成する炭素の磁化率は−７．２×１０−６ｃｍ３／ｇであって、また二酸化炭素はオストワルトの溶解度係数がβ＝０．８２８（水２５℃）を有し、その水溶液は弱酸性を示すことは周知のことである。また、電磁石４としては、高温超伝導電磁石を利用する替わりに、通常の永久磁石によるコアと、これに巻装されるコイルとによって構成される少なくとも５テスラ以上の高磁力を発生可能とした一般的な電磁石４を使用しても良いことはもちろんである。
【００１０】
図１に示すように、装置本体１は、処理すべき二酸化炭素を水に溶解させるべく例えば全体が攪拌振動できるようにして成る溶解タンク２と、この二酸化炭素溶解水に、例えば水酸化鉄，フェライト，マンガン，αヘマタイト，ドラバイト，トルマリン等の強磁性シーデイング剤を添加するシーデイング剤添加タンク５と、シーデイング剤添加工程Ｂ後の二酸化炭素溶解水を、例えば５テスラから１０テスラ範囲の高勾配磁界内に導入して炭素と酸素とに磁気分離させ、磁界周囲に配したメッシュ状，スパイラル状，筒状等に形成された吸着フィルタ６によって、磁気分離した炭素を捕獲可能にした高温超伝導による電磁石４とを循環流路３に沿って配設して成る。
【００１１】
このとき溶解タンク２内部には、所定量の水を常時供給させてあり、これに所定のガス圧で二酸化炭素を供給してから溶解タンク２全体を攪拌させると常温でも短時間で二酸化炭素が水に溶解し、溶解タンク２内の二酸化炭素のガス容積は急激に減少するものである。そして、二酸化炭素水溶液の溶解タンク２に操作弁７を介して接続され、且つ不図示の循環ポンプによって環流させるように形成されている循環管路３の一部に、例えば冷却用循環ポンプ８を介して接続されたクーリングタワー９、冷却装置１０それぞれに接続して成る高温超伝導による電磁石４を配してある。
【００１２】
尚、循環管路３の全長には不図示の金属製のスパイラルフィルタが、このスパイラル回転軸と循環管路３とが略同軸となるように当該循環管路３内側に張設配置され、例えば２５〜５０ｋＨｚ帯域の高周波電源を使った高周波電流をこのスパイラルフィルタに印加させることによって二酸化炭素水溶液中の炭素と酸素の結合をイオン解離して捕獲させるようにしても良い。このときスパイラルフィルタにおいて高周波電源を使うことで、炭素イオンと酸素イオンとは循環管路３内部で高速で反転を繰り返しこのときの振動・衝突によって効率良く分離作用が行われるようにしてある。またこのスパイラルフィルタの替わりに銅板を使用することもできる。
【００１３】
また、二酸化炭素水溶液中の炭素イオンと酸素イオンとが、渦巻き回転力によって迅速に解離できるようにするために、耐食性のある金属製の材質によってスパイラルフィルタを形成し、これを例えば電磁石４部分を除いた循環管路３全長の内壁部分に配設すると共に、当該スパイラルフィルタ自身を回転駆動用モータによって循環管路３内部で任意の角速度で回転できるように構成しても良い。このとき回転可能なスパイラルフィルタは、循環管路３内壁面に付着した汚染物質を剥離除去する機能を備えているものとできる。
【００１４】
高温超伝導を利用した電磁石４は、シーデイング剤添加後の二酸化炭素水溶液を高磁場且つ高勾配の磁界内に導入して、磁化率の小さな炭素イオンを磁気分離させるものであり、磁気分離した炭素イオンを捕獲すべく、電磁石４の磁界周囲には、例えばメッシュ状，スパイラル状，筒状等に成形された例えば不織布等の吸着フィルタ６をスペアのものと容易に交換できるよう着脱可能となって配設されている。
【００１５】
高温超伝導を利用した電磁石４は、電流スイッチのＯＮ／ＯＦＦ操作により、炭素イオンの弱磁性磁化率の値に対応して発生磁場の大きさを５テスラから１０テスラ範囲の間で可変できるようにしてある。また、弱磁性磁化率を有する炭素イオンを磁気分離力を介して効率良く捕獲可能にすべく二酸化炭素水溶液中に水酸化鉄，フェライト，マンガン，αヘマタイト，ドラバイト，トルマリン等の強磁性シーデイング剤、あるいは高浸透性を有する特殊なナノカーボン等のシーデイング剤を添加するものとしてある。この特殊高機能性ナノカーボンを二酸化炭素水溶液中に分散する場合、そのナノカーボンを素材にした高速磁気分離回転筒を、電磁石４による強磁場を発生させる磁界発生管内壁に装着しても良い。
【００１６】
電磁石４による強磁場を発生させる磁界発生管内を二酸化炭素水溶液が直角の状態で流れると、二酸化炭素水溶液内に自由電子の分極が起こり、誘導電圧が発生するという所謂ファラデーの電磁誘導の法則のもとで、一定の流れの速さを保ち反復循環させることで、弱磁性の炭素イオンを除去する作用が発生するものである。このように磁気エネルギーは磁場の二乗に正比例することから５テスラを超える強磁場内においては、あらゆる非磁性体の分離が可能で、例えば炭素単体のみの弱磁性体のものは単体として磁気分離できるものとなる。
【００１７】
すなわち、一様でない靜磁場中に置かれた体積Ｖ、一様な磁化Ｍ（ｒ，Ｈ）の粒子に働く力Ｆは、磁場勾配がｘ軸方向であるとすると、Ｆ＝ＶＭ（Ｈ）ｄＨ／ｄｘである。尚、炭素イオンの反磁性磁化率は−７．２×１０−６ｃｍ３／ｇ、酸素イオンの常磁性磁化率は１０８×１０−６ｃｍ３／ｇである。これら磁性粒子と非磁性粒子との混合物が不均一磁場を通過するとき、磁性粒子の移動軌跡は磁気力の作用により非磁性粒子のそれとは必然的に異なる。この差を利用して物質を分離するのが磁気分離である。
【００１８】
二酸化炭素水溶液中の残留する炭素イオンを完全捕獲してリサイクル利用可能にすべく循環管路３から分岐した一端排出口から出される流路に沿って金属膜によるフィルタを積層状に配設した室を複数に接続されて成る積層吸着フィルタ装置を設けても良い。この積層吸着フィルタ装置は、二酸化炭素水溶液の流れがフィルタに対し抵抗とならないように金属膜の積層間の隙間に沿って二酸化炭素水溶液が流れるようにしてある。
【００１９】
次に以上のように構成された最良の形態についての使用、動作の一例を説明するに、図２に示すように、溶解工程Ａにおいて、二酸化炭素の有するオストワルトの溶解度係数β＝０．８２８（水２５℃）に基づいて、短時間に二酸化炭素を水に溶解させ、弱酸性の二酸化炭素水溶液を生成しておく。
【００２０】
また、シーデイング剤添加工程Ｂにおいて、二酸化炭素溶解水中に水酸化鉄，フェライト，マンガン，αヘマタイト，ドラバイト，トルマリン等の強磁性シーデイング剤を添加し炭素イオンと結合させた後、操作弁７を開いて循環管路３に送る。
【００２１】
磁気分離工程Ｃにおいて、電流スイッチのＯＮ／ＯＦＦ操作により、ナトリウムイオンの弱磁性磁化率の値に対応して電磁石４の発生磁場の大きさを５テスラから１０テスラ範囲の間で可変設定させておき、シーデイング剤添加工程Ｂ後の二酸化炭素溶解水を電磁石４の高勾配磁界内に導入して炭素と酸素とに磁気分離させる。このとき、強磁性シーデイング剤が弱磁性磁化率を有する炭素イオンと結合しているため、弱磁性の炭素イオンであっても強磁性粒子と同様に磁気分離される。
【００２２】
そして、炭素捕獲工程Ｄにおいて、前記磁気分離した炭素は、電磁石４の磁界周囲に配したメッシュ状，スパイラル状，筒状等に形成された吸着フィルタ６によってリサイクル可能な状態となって完全捕獲される。この吸着フィルタ６は、使用後にはスペアのものと交換する。
【００２３】
尚、前記磁気分離工程Ｃに加えて、循環管路３内側に張設配置された例えば２５〜５０ｋＨｚ帯域の高周波電源を使った高周波電流を印加させるスパイラルフィルタを使用することによって二酸化炭素水溶液中の炭素と酸素の結合をイオン解離して捕獲させる工程を加えても良い。。
【図面の簡単な説明】
【００２４】
【図１】本発明を実施するための最良の形態における構成を示す使用状態の概略構成図である。
【図２】同じく二酸化炭素の無害化処理工程の一例を示すフローチャートである。
【符号の説明】
【００２５】
Ａ  溶解工程                          
Ｂ  シーデイング剤添加工程
Ｃ  磁気分離工程
Ｄ  炭素捕獲工程
１  装置本体  
２  溶解タンク
３  循環管路  
４  電磁石
５  シーデイング剤添加タンク
６  吸着フィルタ
７  操作弁                            
８  冷却用循環ポンプ
９  クーリングタワー                  
１０  冷却装置
【図１】
2005126259.tif 000003
【図２】
2005126259.tif 000004